(57)【要約】【課題】  電柱等に設けられた碍子に対する架空アース線の支持状態を安定化させることができるアース線支持具を提供する。【解決手段】  アース線支持具１は、架空アース線２を碍子３に固定するための支持具である。架空アース線２は、例えばアルミニウム製のアース線であり、剥き出し状態つまり裸線のままで電柱間や鉄塔間に掛け渡される。アース線支持具１は、１本の金属バインド線４により形成されている。金属バインド線４は、鋼線５をアルミニウム６で覆ってなるクラッド綱で形成されている。アース線支持具１は、金属バインド線４の長手方向の中央部に形成され、碍子３の首部３ａに巻き掛ける碍子係合部７と、金属バインド線４における碍子係合部７の両側にそれぞれ形成され、架空アース線２を巻き付けて保持する螺旋状のアース線保持部８Ａ，８Ｂとを有している。【選択図】  図２
2007174737.tif 000002
【特許請求の範囲】
【請求項１】
金属バインド線で形成され、剥き出し状態の架空アース線を碍子に固定するためのアース線支持具であって、
前記碍子に対して巻き掛ける碍子係合部と、
前記碍子係合部の両側に螺旋状に形成され、前記架空アース線を巻き付けて保持する１対のアース線保持部とを有し、
前記金属バインド線は、鋼線を前記架空アース線と同じ金属材料で覆ってなるクラッド綱で形成されていることを特徴とするアース線支持具。
【請求項２】
前記１対のアース線保持部の螺旋巻き方向が互いに逆向きとなっていることを特徴とする請求項１記載のアース線支持具。
【請求項３】
前記アース線保持部における前記碍子係合部側の螺旋巻きピッチは、前記アース線保持部における前記碍子係合部の反対側の螺旋巻きピッチよりも短いことを特徴とする請求項１または２記載のアース線支持具。
【請求項４】
前記アース線保持部における前記碍子係合部側の螺旋巻きピッチは、前記アース線保持部における前記碍子係合部の反対側の螺旋巻きピッチよりも長いことを特徴とする請求項１または２記載のアース線支持具。
【請求項５】
前記架空アース線はアルミニウムで形成され、
前記金属バインド線は、鋼線をアルミニウムで覆ってなるクラッド綱であることを特徴とする請求項１〜４のいずれか一項記載のアース線支持具。
【発明の詳細な説明】
【技術分野】
【０００１】
本発明は、電柱や鉄塔等に取り付けられた碍子に架空アース線を固定するためのアース線支持具に関するものである。
【背景技術】
【０００２】
例えば海外においては、アルミニウム等からなる架空アース線を剥き出し状態のまま電柱間や鉄塔間に掛け渡す場合がある。この場合、電柱等に取り付けられた碍子に、剥き出し状態の架空アース線を固定することが多い。従来では、架空アース線を碍子に固定する方法の一つとして、例えば特許文献１に記載されているようなアルミニウム製のバインド線を架空アース線に対して手巻きするようにしている。
【特許文献１】特開２００４−３２９０１号公報（図５）
【発明の開示】
【発明が解決しようとする課題】
【０００３】
しかしながら、上記従来技術のようなアルミニウム製のバインド線は、変形しやすく、強度的にも弱い。このため、そのようなアルミニウム製のバインド線を架空アース線に巻き付けても、バインド線によるアース線の保持力（掌握力）が十分に得られず、碍子に対する架空アース線の支持状態が不安定になることがある。
【０００４】
本発明の目的は、電柱等に設けられた碍子に対する架空アース線の支持状態を安定化させることができるアース線支持具を提供することである。
【課題を解決するための手段】
【０００５】
本発明は、金属バインド線で形成され、剥き出し状態の架空アース線を碍子に固定するためのアース線支持具であって、碍子に対して巻き掛ける碍子係合部と、碍子係合部の両側に螺旋状に形成され、架空アース線を巻き付けて保持する１対のアース線保持部とを有し、金属バインド線は、鋼線を架空アース線と同じ金属材料で覆ってなるクラッド綱で形成されていることを特徴とするものである。
【０００６】
このようなアース線支持具を用いて、剥き出し状態の架空アース線を碍子に固定するときは、まず碍子係合部を碍子に対して巻き掛ける。そして、架空アース線を碍子に対して配置した状態で、１対のアース線保持部の一方を碍子係合部側から順に架空アース線に巻き付け、その後で１対のアース線保持部の他方を碍子係合部側から順に架空アース線に巻き付ける。
【０００７】
このとき、アース線支持具を構成する金属バインド線は、鋼線を架空アース線と同じ金属材料で覆ってなるクラッド綱で形成されている。この金属バインド線は、例えばアルミニウム製の金属バインド線に比べて、変形しにくく且つ高強度である。このため、そのような金属バインド線からなるアース線支持具のアース線保持部を架空アース線に巻き付けた状態では、アース線保持部による架空アース線の保持力が高くなるため、碍子に対する架空アース線の支持状態が安定化するようになる。また、鋼線を覆う金属材料を架空アース線と同じ金属とすることにより、架空アース線と金属バインド線との電位差が抑えられるため、金属バインド線が腐食しにくくなる。これにより、金属バインド線の破断等を防止することができる。
【０００８】
好ましくは、１対のアース線保持部の螺旋巻き方向が互いに逆向きとなっている。この場合には、碍子係合部を碍子に巻き掛けてから、１対のアース線保持部を架空アース線に巻き付ける際に、架空アース線が１対のアース線保持部の各碍子係合部側端部の上側を通るように構成することができる。このような構成では、一方のアース線保持部を架空アース線に巻き付けるときには、当該アース線保持部を架空アース線の上側からそのまま巻き付け始め、他方のアース線保持部を架空アース線に巻き付けるときにも、当該アース線保持部を架空アース線の上側からそのまま巻き付け始めれば良いので、架空アース線に対するアース線保持部の巻き付け作業が行いやすくなる。また、そのように１対のアース線保持部の巻き方が全く同じであるため、１対のアース線保持部が架空アース線に巻き付けられた状態では、架空アース線が碍子に対して水平になり易くなる。従って、碍子に対する架空アース線の支持状態が更に安定化するようになる。
【０００９】
また、好ましくは、アース線保持部における碍子係合部側の螺旋巻きピッチは、アース線保持部における碍子係合部の反対側の螺旋巻きピッチよりも短い。アース線保持部における碍子係合部の反対側の螺旋巻きピッチを長くすることにより、アース線保持部における碍子係合部の反対側（アース線支持具の端末側）部分では、架空アース線に対するアース線保持部の巻き付け回数が少なくなる。これにより、アース線支持具の端末側に向かうほどアース線保持部の巻き付けるべき部分が短くなっていくにも拘わらず、アース線保持部の巻き付け作業を容易に行うことができる。また、アース線保持部における碍子係合部側の螺旋巻きピッチを短くすることにより、アース線保持部の碍子係合部側の部分では、架空アース線に対するアース線保持部の巻き付け回数が多くなるため、アース線保持部による架空アース線の保持力が十分に確保されるようになる。
【００１０】
また、アース線保持部における碍子係合部側の螺旋巻きピッチは、アース線保持部における碍子係合部の反対側の螺旋巻きピッチよりも長くても良い。アース線保持部における碍子係合部側の螺旋巻きピッチを長くすることにより、アース線保持部の碍子係合部側の部分では、架空アース線に対するアース線保持部の巻き付け回数が少なくなる。これにより、碍子の近傍に樹木等があっても、アース線保持部の巻き付け作業に及ぼす影響が少なくて済む。また、アース線保持部における碍子係合部の反対側の螺旋巻きピッチを短くすることにより、アース線保持部における碍子係合部の反対側（アース線支持具の端末側）部分では、架空アース線に対するアース線保持部の巻き付け回数が多くなるため、アース線保持部による架空アース線の保持力が十分に確保されるようになる。
【００１１】
さらに、好ましくは、架空アース線はアルミニウムで形成され、金属バインド線は、鋼線をアルミニウムで覆ってなるクラッド綱である。例えば海外においては、剥き出し状態で電柱間や鉄塔間に掛け渡される架空アース線としては、アルミニウム製のものが使われることが多いことから、鋼線をアルミニウムで覆ってなるクラッド綱を金属バインド線として使用するのが好適である。
【発明の効果】
【００１２】
本発明によれば、電柱等に設けられた碍子に対する架空アース線の支持状態を安定化させることができる。これにより、金属バインド線のみからなる簡単な構造のアース線支持具を使用しても、剥き出し状態の架空アース線を電柱等に確実に引き留めることが可能となる。
【発明を実施するための最良の形態】
【００１３】
以下、本発明に係るアース線支持具の好適な実施形態について、図面を参照して詳細に説明する。
【００１４】
まず、本発明に係るアース線支持具の第１実施形態を図１〜図５により説明する。図１は、本実施形態のアース線支持具を示す斜視図であり、図２は、図１に示すアース線支持具の使用状態を示す斜視図である。
【００１５】
各図において、アース線支持具１は、架空アース線２を碍子３に固定するための支持具である。架空アース線２は、例えばアルミニウム製のアース線であり、剥き出し状態つまり裸線のままで電柱間や鉄塔間に掛け渡される。碍子３は、架空電線（図示せず）を絶縁するために電柱や鉄塔等に取り付けられる絶縁物である。
【００１６】
アース線支持具１は、１本の金属バインド線４により形成されている。金属バインド線４は、図３に示すように、亜鉛めっき鋼線等の鋼線５をアルミニウム６で覆ってなるクラッド綱で形成されている。このような構造の金属バインド線４の特性としては、アルミニウムのみからなる金属バインド線と比較して、引っ張り強度及び弾性力が高い。鋼線５の径Ｄ１は、例えば１．９５〜４．９５ｍｍ程度であり、金属バインド線４の径Ｄ２は、例えば２．０〜５．０ｍｍ程度である。
【００１７】
アース線支持具１は、金属バインド線４の長手方向の中央部に形成され、碍子３の首部３ａに巻き掛ける碍子係合部７と、金属バインド線４における碍子係合部７の両側にそれぞれ形成され、架空アース線２を巻き付けて保持する螺旋状のアース線保持部８Ａ，８Ｂとを有している。碍子係合部７は、碍子３の首部３ａに対応した径をもった半円弧状を有している。
【００１８】
アース線保持部８Ａ，８Ｂは、架空アース線２の線径よりも小さな内径を有している。これにより、アース線保持部８Ａ，８Ｂを架空アース線２に巻き付けたときに、架空アース線２がアース線保持部８Ａ，８Ｂによって確実に保持されるようになる。アース線保持部８Ａ，８Ｂの螺旋巻き方向は、同じ向きとなっている。また、アース線保持部８Ａ，８Ｂの螺旋巻きピッチＰは、全体的に等ピッチとなっている。
【００１９】
このようなアース線支持具１を用いて架空アース線２を碍子３に固定するときは、まず図４に示すように、碍子係合部７を碍子３の首部３ａに沿わせるように巻き掛ける。そして、碍子３の首部３ａにおける碍子係合部７を巻き掛けた側とは反対側に架空アース線２を配置した状態で、図５に示すように、まず一方のアース線保持部８Ａを架空アース線２に手で巻き付け、引き続いて他方のアース線保持部８Ｂを架空アース線２に手で巻き付ける。
【００２０】
具体的には、碍子係合部７側（アース線支持具１の中央側）から碍子係合部７の反対側（アース線支持具１の端末側）に向けてアース線保持部８Ａを順に架空アース線２に巻き付けていく。このとき、架空アース線２は、碍子係合部７とアース線保持部８Ａとの境界部における金属バインド線４の下を通っている。このため、アース線保持部８Ａを架空アース線２に巻き付けるときには、アース線保持部８Ａを架空アース線２の下側にくぐらせてから巻き付ける必要がある。
【００２１】
次いで、アース線支持具１の中央側から端末側に向けてアース線保持部８Ｂを順に架空アース線２に巻き付けていく。このとき、アース線保持部８Ａ，８Ｂの螺旋巻き方向は同じであるため、碍子係合部７とアース線保持部８Ｂとの境界部では、碍子係合部７とアース線保持部８Ａとの境界部と異なり、架空アース線２が金属バインド線４の上を通ることになる。このため、アース線保持部８Ｂを架空アース線２に巻き付けるときには、アース線保持部８Ｂを架空アース線２の上側からそのまま巻き付け始めればよい。
【００２２】
以上により、図２に示すように、架空アース線２がアース線支持具１を介して碍子３に支持された状態となる。
【００２３】
ここで、アース線支持具１を構成する金属バインド線４は、鋼線５をアルミニウム６で覆ってなるクラッド綱で形成されているため、変形しにくく、高い強度を有している。このため、アース線支持具１により架空アース線２が碍子３に支持された状態では、アース線保持部８Ａ，８Ｂは架空アース線２を十分な力（荷重）で保持（掌握）することになるため、碍子３に対する架空アース線２の支持状態が安定化するようになる。これにより、例えば多少強い風が吹いた場合であっても、架空アース線２を電柱や鉄塔等に確実に引き留めておくことができる。
【００２４】
また、上述したように金属バインド線４の弾性力及び強度は比較的高いため、架空アース線２に対するアース線保持部８Ａ，８Ｂの巻き付け作業を、工具等を用いること無く簡単に且つ安定して行うことができる。特に、上記のような架空アース線２を碍子３に固定する作業は、電柱や鉄塔等といった高所で行われることが多いため、上記の金属バインド線４からなるアース線支持具１を使用することは、作業者にとっては非常に有利である。
【００２５】
さらに、金属バインド線において鋼線を覆う金属材料が架空アース線２を形成する金属材料と異なっていると、金属バインド線と架空アース線２との間に電位差が生じるため、金属バインド線がさびやすくなり、最悪の場合には金属バインド線の破断等を引き起こしてしまう。これに対し、アース線支持具１を構成する金属バインド線４は、架空アース線２を形成する金属と同じアルミニウムで鋼線５を覆う構造となっている。このため、金属バインド線４がさびにくくなるため、金属バインド線４の腐食によって金属バインド線４が破断することを防止できる。
【００２６】
本発明に係るアース線支持具の第２実施形態を図６及び図７により説明する。図中、上記の第１実施形態と同一または同等の部材には同じ符号を付し、その説明を省略する。
【００２７】
図６は、本実施形態のアース線支持具を示す斜視図である。同図において、アース線支持具１０は、第１実施形態と同様に金属バインド線４により形成されている。アース線支持具１０の長さ（全長）は、第１実施形態におけるアース線支持具１と同等である。
【００２８】
アース線支持具１０は、第１実施形態におけるアース線保持部８Ａ，８Ｂに代えてアース線保持部１１Ａ，１１Ｂを有している。アース線保持部１１Ａ，１１Ｂの螺旋巻き方向は、第１実施形態と異なり互いに逆向きとなっている。また、アース線保持部１１Ａ，１１Ｂの螺旋巻きピッチは、第１実施形態と同様に全体的に等ピッチとなっている。
【００２９】
このようなアース線支持具１０により架空アース線２を碍子３に固定するときは、第１実施形態と同様の手法を用いて行う。即ち、図７に示すように、碍子係合部７を碍子３の首部３ａに巻き掛けた後、首部３ａに対して架空アース線２を配置した状態で、アース線保持部１１Ａを架空アース線２に巻き付け、更にアース線保持部１１Ｂを架空アース線２に巻き付ける。このとき、第１実施形態と同様に、アース線支持具１０の中央側から端末側に向けて順にアース線保持部１１Ａ，１１Ｂを架空アース線２に巻き付けていく。
【００３０】
ここで、本実施形態のアース線支持具１０では、アース線保持部１１Ａ，１１Ｂの螺旋巻き方向が逆となっているので、碍子係合部７を図７に示すように碍子３の首部３ａに巻き掛けた状態では、碍子係合部７とアース線保持部１１Ａとの境界部、碍子係合部７とアース線保持部１１Ｂとの境界部の何れにおいても、架空アース線２が金属バインド線４の上を通ることになる。このため、アース線保持部１１Ａを架空アース線２に巻き付けるときには、アース線保持部１１Ａを架空アース線２の上側からそのまま巻き付け始め、その後でアース線保持部１１Ｂを架空アース線２に巻き付けるときには、アース線保持部１１Ｂも架空アース線２の上側からそのまま巻き付け始めれば良い。これにより、架空アース線２に対するアース線保持部１１Ａ，１１Ｂの巻き付け作業を容易に行うことができる。
【００３１】
また、そのように架空アース線２に対するアース線保持部Ａ，Ｂの巻き付け方が全く同じであるため、アース線保持部Ａ，Ｂが架空アース線２に巻き付けられた状態では、架空アース線２は碍子３に対してほぼ水平になる。これにより、架空アース線２と碍子３との支持状態がより安定化するようになる。また、架空アース線２が碍子３に対して水平になるようにすべく、例えば作業者が架空アース線２を無理に曲げて矯正しなくて済むため、作業者の負担を軽減することができる。
【００３２】
本発明に係るアース線支持具の第３実施形態を図８及び図９により説明する。図中、上記の第１実施形態と同一または同等の部材には同じ符号を付し、その説明を省略する。
【００３３】
図８は、本実施形態のアース線支持具を示す斜視図である。同図において、アース線支持具２０は、第１実施形態と同様に金属バインド線４により形成される支持具であり、上記のアース線支持具１と同等の全長を有している。
【００３４】
アース線支持具２０は、第１実施形態におけるアース線保持部８Ａ，８Ｂに代えてアース線保持部２１Ａ，２１Ｂを有している。アース線保持部２１Ａ，２１Ｂは、架空アース線２の線径よりも小さな内径を有している。アース線保持部２１Ａ，２１Ｂの螺旋巻き方向は、第２実施形態と同様に互いに逆向きとなっている。また、アース線保持部２１Ａ，２１Ｂにおける碍子係合部７側（アース線支持具２０の中央側）の螺旋巻きピッチは、アース線保持部２１Ａ，２１Ｂにおける碍子係合部７の反対側（アース線支持具２０の端末側）の螺旋巻きピッチよりも短くなっている。
【００３５】
このようなアース線支持具２０により架空アース線２を碍子３に固定するときは、第１の実施形態と同様の手法を用いて行う。即ち、図９に示すように、碍子係合部７を碍子３の首部３ａに巻き掛けた後、首部３ａに対して架空アース線２を配置した状態で、アース線保持部２１Ａを架空アース線２に巻き付け、更にアース線保持部２１Ｂを架空アース線２に巻き付ける。
【００３６】
このとき、第１実施形態と同様に、アース線支持具２０の中央側から端末側に向けて順にアース線保持部２１Ａ，２１Ｂを架空アース線２に巻き付けていく。しかし、アース線保持部２１Ａ，２１Ｂにおけるアース線支持具２０の端末側の部分を巻き付けるときには、アース線保持部２１Ａ，２１Ｂにおけるアース線支持具２０の中央側の部分を巻き付けるときに比べて、アース線保持部２１Ａ，２１Ｂの巻き付けるべき長さが短くなるため、作業者にとっては大きな力が必要となる。このため、金属バインド線４の寸法等によっては、アース線支持具２０の端末側においてアース線保持部２１Ａ，２１Ｂを架空アース線２に巻き付ける作業が困難なものとなる可能性がある。
【００３７】
本実施形態のアース線支持具２０では、アース線保持部２１Ａ，２１Ｂにおけるアース線支持具２０の端末側の螺旋巻きピッチが大きくなっているので、アース線支持具２０の端末側においてアース線保持部２１Ａ，２１Ｂを架空アース線２に巻き付ける回数が少なくて済む。これにより、架空アース線２に対するアース線保持部２１Ａ，２１Ｂの巻き付け作業を更に容易に行うことができる。
【００３８】
また、アース線保持部２１Ａ，２１Ｂにおけるアース線支持具２０の端末側の螺旋巻きピッチを大きくした分だけ、アース線保持部２１Ａ，２１Ｂにおけるアース線支持具２０の中央側の螺旋巻きピッチが小さくなっているので、アース線支持具２０の中央側においてアース線保持部２１Ａ，２１Ｂを架空アース線２に巻き付ける回数が多くなる。このため、アース線保持部２１Ａ，２１Ｂによる架空アース線２の保持力が十分に確保されるようになる。従って、アース線支持具２０の中央側では、架空アース線２に対するアース線保持部２１Ａ，２１Ｂのフィット感が良好になる。
【００３９】
本発明に係るアース線支持具の第４実施形態を図１０及び図１１により説明する。図中、上記の第１実施形態と同一または同等の部材には同じ符号を付し、その説明を省略する。
【００４０】
図１０は、本実施形態のアース線支持具を示す斜視図である。同図において、アース線支持具３０は、第１実施形態と同様に金属バインド線４により形成される支持具であり、上記のアース線支持具１と同等の全長を有している。
【００４１】
アース線支持具３０は、第１実施形態におけるアース線保持部８Ａ，８Ｂに代えてアース線保持部３１Ａ，３１Ｂを有している。アース線保持部３１Ａ，３１Ｂは、架空アース線２の線径よりも小さな内径を有している。アース線保持部３１Ａ，３１Ｂの螺旋巻き方向は、第２実施形態と同様に互いに逆向きとなっている。また、アース線保持部３１Ａ，３１Ｂにおける碍子係合部７の反対側（アース線支持具３０の端末側）の螺旋巻きピッチは、アース線保持部３１Ａ，３１Ｂにおける碍子係合部７側（アース線支持具３０の中央側）の螺旋巻きピッチよりも小さくなっている。
【００４２】
このようなアース線支持具３０により架空アース線２を碍子３に固定するときは、第１実施形態と同様の手法を用いて行う。即ち、図１１に示すように、碍子係合部７を碍子３の首部３ａに巻き掛けた後、首部３ａに対して架空アース線２を配置した状態で、アース線保持部３１Ａを架空アース線２に巻き付け、更にアース線保持部３１Ｂを架空アース線２に巻き付ける。
【００４３】
ここで、碍子３の近傍に、樹木等のような障害物が存在していると、アース線支持具３０の中央側においてアース線保持部３１Ａ，３１Ｂを架空アース線２に巻き付ける作業が行い難いものとなってしまう。
【００４４】
本実施形態のアース線支持具３０では、アース線保持部３１Ａ，３１Ｂにおけるアース線支持具３０の中央側の螺旋巻きピッチが大きくなっているので、アース線支持具３０の中央側においてアース線保持部３１Ａ，３１Ｂを架空アース線２に巻き付ける回数が少なくて済む。これにより、碍子３の近傍に障害物があっても、架空アース線２に対するアース線保持部３１Ａ，３１Ｂの巻き付けを容易に且つ確実に行うことができる。
【００４５】
また、アース線保持部３１Ａ，３１Ｂにおけるアース線支持具３０の中央側の螺旋巻きピッチを大きくした分だけ、アース線保持部３１Ａ，３１Ｂにおけるアース線支持具３０の端末側の螺旋巻きピッチが小さくなっているので、アース線支持具３０の端末側においてアース線保持部３１Ａ，３１Ｂを巻き付ける回数が多くなる。このため、アース線保持部３１Ａ，３１Ｂによる架空アース線２の保持力が十分に確保されるようになる。従って、アース線支持具３０の端末側では、架空アース線２に対するアース線保持部３１Ａ，３１Ｂのフィット感が良好になる。
【００４６】
なお、本発明は、上記実施形態に限定されるものではない。例えば、アース線支持具の中央側におけるアース線保持部の螺旋巻きピッチとアース線支持具の端末側におけるアース線保持部の螺旋巻きピッチとを異なるようにする形態としては、特に上記の第３及び第４実施形態のものには限られない。例えばアース線支持具の全長が大きい場合には、アース線支持具の中央側から端末側に向けて、螺旋巻きピッチの長い領域、螺旋巻きピッチの短い領域、螺旋巻きピッチの長い領域を順に形成しても良い。このようなアース線支持具を使用する場合には、上記の第３及び第４実施形態の利点を同時に得ることが可能となる。
【００４７】
また、そのようにアース線支持具の中央側におけるアース線保持部の螺旋巻きピッチとアース線支持具の端末側におけるアース線保持部の螺旋巻きピッチとを異なる形態とした場合には、１対のアース線保持部の螺旋巻き方向を同じ向きとしても良い。
【００４８】
さらに、上記実施形態では、架空アース線２がアルミニウム製であることから、鋼線５がアルミニウム６で覆われてなるクラッド綱で形成された金属バインド線４を使用したが、金属バインド線としては、鋼線（スレンレス、チタン等を含む）を架空アース線と同じ金属材料（アルミニウムの他には銅等）で覆ってなるクラッド綱で形成されたものを使用すれば良い。
【図面の簡単な説明】
【００４９】
【図１】本発明に係るアース線支持具の第１実施形態を示す斜視図である。
【図２】図１に示すアース線支持具により架空アース線を碍子に固定した状態を示す斜視図である。
【図３】図１に示すアース線支持具を構成する金属バイント線の断面図である。
【図４】図１に示すアース線支持具により架空アース線を碍子に固定する手順を示す斜視図である。
【図５】図１に示すアース線支持具により架空アース線を碍子に固定する手順を示す斜視図である。
【図６】本発明に係るアース線支持具の第２実施形態を示す斜視図である。
【図７】図６に示すアース線支持具により架空アース線を碍子に固定した状態を示す斜視図である。
【図８】本発明に係るアース線支持具の第３実施形態を示す斜視図である。
【図９】図８に示すアース線支持具により架空アース線を碍子に固定した状態を示す斜視図である。
【図１０】本発明に係るアース線支持具の第４実施形態を示す斜視図である。
【図１１】図１０に示すアース線支持具により架空アース線を碍子に固定した状態を示す斜視図である。
【符号の説明】
【００５０】
１…アース線支持具、２…架空アース線、３…碍子、４…金属バインド線、５…綱線、６…アルミニウム、７…碍子係合部、８Ａ，８Ｂ…アース線保持部、１０…アース線支持具、１１Ａ，１１Ｂ…アース線保持部、２０…アース線支持具、２１Ａ，２１Ｂ…アース線保持部、３０…アース線支持具、３１Ａ，３１Ｂ…アース線保持部。
【図１】
2007174737.tif 000003
【図２】
2007174737.tif 000004
【図３】
2007174737.tif 000005
【図４】
2007174737.tif 000006
【図５】
2007174737.tif 000007
【図６】
2007174737.tif 000008
【図７】
2007174737.tif 000009
【図８】
2007174737.tif 000010
【図９】
2007174737.tif 000011
【図１０】
2007174737.tif 000012
【図１１】
2007174737.tif 000013